(57)【要約】【課題】インクカートリッジ内の複数のカラーインクのうちのあるカラーインクが枯渇した場合に、残りの他のカラーインクを無駄に捨てることなく利用することのできる方法および装置を提供する。【解決手段】プリント装置１００は、第１のカラーのインクを保持する少なくとも１つの槽を有する第１のカートリッジ１２０と、第２のカラーのインク、第３のカラーのインク、および第４のカラーのインクを保持することのできる３つの槽を有する第２のマルチカラーカートリッジ１２１と、代用のカラーまたはカスタムカラーのインクを保持する少なくとも１つの槽を有する第３のカートリッジ１２２と、を備えている。第３のカートリッジ１２２は、第１のカラー、第２のカラー、第３のカラー、および第４のカラーのインクのうちの少なくとも１つを保持することができる。第３のカートリッジ１２２はまた、カスタムカラーなどの別のカラーのインクを保持することもできる。【選択図】図１
2004237733.tif 000002
【特許請求の範囲】
【請求項１】
第１のカラーのインクを保持する少なくとも１つの槽を有する第１のカートリッジと、
第２のカラーのインク、第３のカラーのインク、および第４のカラーのインクを保持することのできる少なくとも３つの槽を含む第２のマルチカラーカートリッジと、
インクを保持する少なくとも１つの槽を有する第３のカートリッジと、
を備えているプリント装置。
【請求項２】
前記第３のカートリッジが、前記第１のカラー、第２のカラー、第３のカラー、および第４のカラーのインクと異なる第５のカラーのインクを保持する、請求項１に記載のプリント装置。
【請求項３】
前記第３のカートリッジが、前記第１のカラー、第２のカラー、第３のカラー、または第４のカラーのインクのうちの少なくとも１つを保持する、請求項１に記載のプリント装置。
【請求項４】
第１のカートリッジホルダーと、
第２のカートリッジホルダーと、
第３のカートリッジホルダーと、
を有するキャリッジをさらに備えている、請求項１に記載のプリント装置。
【請求項５】
前記第１のカートリッジ、第２のカートリッジ、および第３のカートリッジからのインクを制御するコントローラをさらに備えている、請求項１に記載のプリント装置。
【請求項６】
前記第１のカートリッジ、第２のカートリッジ、および第３のカートリッジからのインクを制御するコントローラをさらに備え、該コントローラは、前記第３のカートリッジ内のインクのカラーを判定する手段を備えている、請求項１に記載のプリント装置。
【請求項７】
前記コントローラは、前記第１のカートリッジおよび第２のカートリッジの前記第１のカラー、第２のカラー、第３のカラー、または第４のカラーのうちの１つがもはや利用できない場合を判定する手段をさらに有し、前記コントローラは、前記第３のカートリッジ内のインクのカラーを判定する前記手段が、前記第３のカートリッジ内のインクのカラーが前記第１のカラー、第２のカラー、第３のカラー、または第４のカラーのうちの１つと同じであると判定する場合に、前記第３のカートリッジからのインクで代用する、請求項６に記載のプリント装置。
【請求項８】
前記第１のカートリッジ、第２のカートリッジ、および第３のカートリッジからのインクを制御するコントローラをさらに備え、該コントローラが、
前記第３のカートリッジ内のインクの第５のカラーを判定する手段と、
プリントするカラーが前記第５のカラーに一致する場合を判定する手段と、
前記第３のカートリッジから前記第５のカラーを移動して前記第５のカラーをプリントする手段と、
をさらに備えている、請求項２に記載のプリント装置。
【請求項９】
カラーをプリントする方法であって、
第１、第２、第３、および第４のカラーを、第１のカートリッジおよび第２のカートリッジ内に保持するステップと、
前記第１、第２、第３、および第４のカラーのうちの少なくとも１つが利用できない場合を検出するステップと、
前記利用できない第１、第２、第３、または第４のカラーを、第３のカートリッジからのカラーで代用するステップと、
を含む方法。
【請求項１０】
前記第３のカートリッジ内のカラーが、前記利用できない第１、第２、第３、または第４のカラーのうちの１つに略一致する、請求項９に記載の方法。
【発明の詳細な説明】
【技術分野】
【０００１】
本発明の実施形態は、包括的にはカラープリンタにおいて用いるカラーカートリッジに関する。詳細には、本発明は、マルチカラーカートリッジ用のプリント装置および方法のさまざまな実施形態に関する。
【背景技術】
【０００２】
インクジェットプリント機構は、「ペン」と呼ばれることが多いカートリッジを用いる。カートリッジは、本明細書において一般的に「インク」と呼ぶ液体着色剤の滴を、ページ上に噴射する。それぞれのペンは、そこを通ってインク滴が発射される非常に小さなノズルを有して形成したプリントヘッドを有する。画像をプリントするには、プリントヘッドがページを横切って左右に進み、動いている間に所望のパターンでインク滴を噴射する。プリントヘッド内の個々のインク噴射機構は、圧電プリントヘッド機構や熱プリントヘッド機構を含んでもよい。
【０００３】
通常、インクジェットプリンタにおいて用いられるインクは、インクジェットカートリッジの槽内に供給される。カートリッジには、単色でブラック等の単一のカラーのインクを担持するものがある。他のカートリッジはマルチカラーであり、通常、ブラックのインクとともに、混合して他の大部分のカラーを作り出すのに必要な、シアン、マゼンタ、およびイエローという３つのカラーのインクを担持する各槽を含む。マルチカラーカートリッジは通常、３つのカラー「ペン」を含むと言われており、単色のカラーカートリッジは１つの「ペン」を含む。また、単色のカートリッジを４つ用いるプリント機構もある。マルチカラーカートリッジを用いるシステムにおいて、「ペン」のうちの１つまたはカラー槽が空になると、カートリッジ全体が交換される。その結果、他のペンに関連するいかなる残りのカラーも、無駄になってしまう。用途によっては、カラープリントに用いるカラーの混合物は、一貫してマルチカラーカートリッジのカラーのうちの１つをより頻繁に使い果たす傾向があるかもしれない。例えば、企業におけるプリントのあり方が、常にイエローのインクの大量使用を伴う場合には、その結果、その企業は、シアンおよびマゼンタのインクがある程度入った槽を有するマルチカラーカートリッジを、たくさん無駄にしてしまう。言い換えれば、企業または家庭は、不必要に資源を無駄にしてしまう。マルチカラーカートリッジは、購入者と店舗の両方に、注文、保管、および交換が容易な、単一の消耗品目を提供する。マルチカラーカートリッジの短所は、１つのカラーが通常他のカラーよりも先に使い尽くされるために、無駄になるインクがある可能性があり、その結果、消費者にとってページ当たりのプリントコストが高くなってしまうことである。
【０００４】
多くのプリント用途が一貫して特別のカラーすなわちカスタムカラー（custom color）を必要とする場合には、他の問題が生じる。例えば、企業は商標を厳重に管理するかもしれず、その商標が描かれるたびに非常に特殊なカラーのみを用いることさえ要求するかもしれない。これは、企業のパンフレットをプリントまたは複製する、または企業全体が用いるレターヘッドをプリントする動作において、行われるかもしれない。そのような用途もまた、上述のように、一貫して３つのカラーのうちの１つを他のカラーよりも頻繁に必要とするかもしれない。また、一般的に、あるカラーをプリントするのに、他のカラーを混合してそのカラーを作るほうが、そのカラーを直接微粒子にしてプリントするよりも効率が悪い。さらに、インクを混合して作ったカラーの品質は、一貫性に欠ける可能性がある。
【発明を実施するための最良の形態】
【０００５】
好ましい実施形態の以下の詳細な説明において、その一部を形成し、実例として本発明を実施することができる具体的な実施形態を示す、添付図面を参照する。示す実施形態は、本明細書において開示されている教示を当業者が実施することができるようにするのに十分詳細に説明されている。他の実施形態を利用しおよびそこから引き出して、本発明の範囲から逸脱することなく構造上および論理上の代用および変更を行うことができるようにしてもよい。したがって、以下の詳細な説明は、限定する意味で解釈してはならず、本発明のさまざまな実施形態の範囲は、添付の特許請求の範囲およびそのような特許請求の範囲が権利を与えられた全範囲の均等物によってのみ規定される。
【０００６】
図１は、プリント装置１００の一実施形態を示す。図１は、オフィスまたは家庭の環境において、事業報告書、通信文、デスクトップ・パブリッシング等に用いることができる、インクジェットプリンタ１１０を含む。インクジェットプリンタ１１０は、シャシ１１２と、紙のシート等のプリント媒体（図示せず）をプリンタ１１０に供給する、プリント媒体取扱システム１１４とを含む。プリント媒体は、紙の他に、厚紙、透明シート、マイラー、箔、および同様のプリント媒体等のいかなるタイプの好適なシート材料であってもよい。プリント媒体取扱システム１１４は、供給トレイ１１６、出力トレイ１１８、および一連のローラ（図示せず）を含む。このような一連のローラは、供給トレイ１１６から、複数のインクジェットカートリッジ１２０、１２１、１２２からインクを受け取る位置に、紙のシートを送出する。インクジェットカートリッジ１２０は、三色インクカートリッジ等のマルチカラーカートリッジである。インクジェットカートリッジ１２１は、ブラックの単色のインクカートリッジである。インクジェットカートリッジ１２２は、選択したカラーのインクを保持する、別の単色のインクカートリッジである。本文書において用いる「インク」という用語は、プリント媒体に印を付けるのに用いることができるいかなる物質を指すのにも用いてもよいことに注意するべきである。「インク」という用語は、液体インク、ドライトナー、液体トナー等を指してもよい。また、「ペン」という用語は「カートリッジ」という用語の代わりに用いられることがあることにも注意するべきである。
【０００７】
インクカートリッジすなわちペン１２０、１２１、１２２は、キャリッジ１２４によって搬送される。キャリッジ１２４は、駆動ベルト／滑車とモータの構成（図示せず）によって、案内ロッド１２６に沿って駆動することができる。ペン１２０、１２１、１２２は、シャシ１１２内、例えば図１に示す位置、に配置されたプリンタコントローラ１３０から導体ストリップ１２８を介して受け取る命令にしたがって、紙のシートやその他媒体上に、１つまたはそれよりも多くのインク滴を選択的に付着させる。コントローラ１３０は、一般的に、パーソナルコンピュータ等のコンピュータ（図示せず）から命令を受け取る。コンピュータに連結したモニタ（図示せず）を用いて、プリンタのステータスやコンピュータ上で実行されている特定のプログラム等の視覚情報をオペレータに表示してもよい。
【０００８】
図２は、他の実施形態によるプリント装置２００の斜視図である。プリント装置２００は、プリント装置１００と同じ部品を多く含む。わかりやすくするために、および簡略にするために、プリント装置１００とプリント装置２００との相違点のみを述べる。プリント装置２００は、４つのカートリッジ１２０、１２１、１２２、１２３を含む。プリント装置１００は、これとは異なり、プリントカートリッジを３つしか含まない。プリント装置１００とプリント装置２００とは、本発明の２つの実施形態に過ぎないことが注意されるべきである。２つよりも多いいかなる数のプリントカートリッジを有するプリント装置も、本発明のさまざまな実施形態として意図されることが注意されるべきである。本発明のこのようなさまざまな実施形態の背後にあるアイデアは、１２２、１２３等の、１つまたはそれよりも多くのスペアカートリッジが設けられて、最初の２つのカートリッジ１２０、１２１の槽内に保持されたカラーのうちの１つまたはそれよりも多くを保持するか、またはさらなるすなわちスペアのカートリッジ１２２、１２３を用いて、１つまたはそれよりも多くのカスタムカラーを保持することができることである。カスタムカラーと、最初の２つのカートリッジ１２０、１２１において見出されるカラーのうちの１つまたはそれよりも多くとの組合せがあってもよいこともまた意図される。このようなさらなるカートリッジはまた、３つの代用カラー、３つのカスタムカラー、または、カスタムもしくは代用のカラーの組合せを担持することができる、三色カートリッジであってもよい。キャリッジすなわちホルダー２２４もまた、４つのカートリッジ１２０、１２１、１２２、１２３を収容する開口部すなわちスロットを含むという点で異なっている。さまざまなペンすなわちカートリッジ１２０、１２２、１２３に命令を伝える可撓ケーブル等の導体ストリップ２２８は、さらなるカートリッジ１２３を制御するさらなる導体を有する。さらに、コントローラ２３０もまた、プリント装置２００において見出されるさらなるカートリッジ１２３を制御する命令を含む、拡張した命令セットを含む。
【０００９】
図３は、プリントカートリッジ１２１、１２２、１２０（図１に示す）を保持するキャリッジすなわちホルダー１２４の斜視図である。キャリッジ１２４は、インクジェットカートリッジ１２０、１２１、１２２を収容するようになっている３つの開口部すなわちスロット３２０、３２１、３２２を含む。言い換えれば、開口部すなわちスロット３２０、３２１、３２２は、同様の幾何学的形状を有して、カートリッジ１２０、１２１、１２２がスロット内に嵌合することができるようにしている。それぞれのスロットすなわち開口部３２０、３２１、３２２はまた、スロット３２０、３２１、３２２内に配置された、１組の電気接点３３０、３３１、３３２も有する。電気接点３３０、３３１、３３２は、インクジェットカートリッジ１２０、１２１、１２２に連結する電気接点に対応している。電気接点３３０、３３１、３３２はまた、可撓ケーブル等の導体ストリップ１２８内の１組の対応する導体にも電気的につながっている。可撓ケーブルは、ポリアミドのストリップ内に可撓性導電経路を含む。可撓ケーブルである導体ストリップ１２８は、キャリッジすなわちホルダー１２４が案内ロッド１２６（図１に示す）に沿って動くにつれて、一緒に移動し、曲がることができる。キャリッジすなわちホルダー１２４はまた、案内ロッド１２６と嵌合するスリーブ３２６も含む。
【００１０】
図４は、本発明の他の実施形態によるキャリッジ４２４の概略図である。ホルダー４２４は、カートリッジ１２０、１２１を収容するようになっている開口部すなわちスロット４２０、４２１を含む。さらに、ホルダーすなわちキャリッジ４２４は、可撓管４４２を経由してインクを受け取る、取付具４４０を含む。可撓管４４２は、キャリッジ４２４から遠く離れたインク供給源４４４に取り付けられている。キャリッジ４２４は、案内ロッド１２６に沿って配置可能である。インク供給源４４４は、１３０、２３０等のコントローラの制御下で、加圧されキャリッジ４２４にインクを供給する。このインク供給源４４４は、軸外であると言われている。供給インクは、代用カラーであってもカスタムカラーであってもよい。代用カラーは、カートリッジ１２０、１２１内において見出されるカラーのうちの１つに対応する。このようなカートリッジ内において見出されるカラーは、シアン、マゼンタ、イエロー、およびブラックであろう。このような２つのカートリッジ１２０、１２１においては、他のカラーが見出され得ることが注意されるべきである。この２つのカートリッジ１２０、１２１は、２つともマルチカラーカートリッジであってもよく、一方が単色のカートリッジで一方が三色カートリッジであってもよい。会社ロゴ用のレターヘッド等、１つのカラーを大量に必要とする特定のプリントジョブに、カスタムカラーを用いてもよい。
【００１１】
図５は、本発明の実施形態によるコントローラの概略図である。コントローラ５３０は、プリンタの多くの面を制御する。コントローラ５３０は、インク槽５２０、５２１、５２２、５２３の間での情報の転送を制御するとともに、プリントヘッド５３０、５３１、５３２、５３３へのおよびそこからの情報を制御する。このような情報の多くは、メモリすなわち記憶デバイス５４０から得られる。メモリ５４０は、さまざまな槽５２０、５２１、５２２、５２３内のカラーの指示を含む。メモリ５４０はまた、さまざまな槽５２０、５２１、５２２、５２３内のインクのレベルに関する情報も含む。槽５２０、５２１、５２２、５２３のそれぞれに連結する電気接点は、ライン５５０によって表される導電路を介して信号を受け取る。コントローラ５３０は、それぞれのプリントヘッド５３０、５３１、５３２、５３３を選択的に作動して、それぞれの槽からプリント媒体５６０上にインクを噴射すなわち付着させる。プリントヘッド５３０、５３１、５３２、５３３は、ライン５５２によって制御されている。プリンタ機構５５６にはライン５５４が取り付けられており、媒体搬送、および、キャリッジ１２４、２２４等のキャリッジの動きを制御する。
【００１２】
コントローラ５３０はまた、ホストコンピュータ５７０にも通信可能に結合している。ホストコンピュータ５７０を、ディスプレイ装置５７２に接続して示す。ホストコンピュータ５７０は、データリンク５７４を介してコントローラ５３０に画像情報を提供する、少数の例を挙げれば、パーソナルコンピュータ、ワークステーション、またはサーバ等、さまざまな情報源であってもよい。データリンク５７４は、電気リンク、無線周波（ＲＦ）リンク、赤外線リンク、または光リンク等、さまざまなデータリンクのうちのいかなるものであってもよい。光リンクは、光ファイバーを含んでもよい。データリンクは、ホストコンピュータ５７０とプリント装置５１０との間で情報を転送する。プリント装置５１０は、プリンタに関連する回路図のうちの一部分である。
【００１３】
記憶デバイスすなわちメモリ５４０内には、特定のプリントヘッド５３０、５３１、５３２、５３３から放出されるインク滴の実際の数、インク槽すなわち容器５２０、５２１、５２２、５２３に関連するデータ、インクのタイプおよびカラー、容器のサイズ、インクの古さ、プリンタのモデルまたは識別番号、およびカートリッジ使用情報を含む、さまざまなパラメータを記憶することができる。これらは、メモリ５４０内に記憶することができるパラメータのリストの、一部の例に過ぎない。コントローラ５３０は、情報取扱システムであり、マイクロプロセッサと専用コントローラのどちらでもよい。コントローラ５３０は、槽５２０、５２１、５２２、５２３に関連する指示からカラーを検出することによって、槽５２０、５２１、５２２、５２３内のカラーを検出することができる。指示は、バーコード、スイッチバンプ（switch bumps）、磁気可読媒体、無線周波ラベル、またはメモリチップを含む、いかなるタイプの可読インジケータであってもよい。一実施形態において、カートリッジすなわち槽５２０、５２１、５２２、５２３内のインクに関連するデータは、カートリッジすなわち槽５２０、５２１、５２２、５２３に連結する電気接点を通して得られる。ホストコンピュータ５７０はまた、プリントする特定のカラーに関する情報をコントローラ５３０に提供してもよい。例えば、ホストコンピュータ５７０は、ホスト５７０からデータリンク５７４を介して送られるプリントコマンド内に、カスタムカラー要求またはコマンドを含んでもよい。
【００１４】
図６は、本発明の実施形態による方法６００を示すフロー図である。方法は、参照番号６１０で示すように、第１、第２、第３、および第４のカラーを保持する、第１のカートリッジおよび第２のカートリッジを設けることを含む。第１、第２、第３、または第４のカラーのうちの少なくとも１つが利用できない場合には、参照番号６１２で示すように、そのことが検出される。参照番号６１４で示すように、利用できない第１、第２、第３、または第４のカラーを、第３のカートリッジからのカラーで代用する。代用カラーは、最初の４つのカラーのうちの１つであってもよく、または、代用カラーは他のカラーであってもよい。本発明の利点のうちの１つは、第１のカートリッジと第２のカートリッジのうちの一方が、３つのカラーを保持する三色カラーカートリッジでもよいことである。三色カラーカートリッジの３つのカラーのうちの１つが、利用できない場合または枯渇した場合には、枯渇あるいは利用できないカラーに正確に一致するカラー、もしくは、枯渇あるいは利用できないカラーに略一致するカラーである、代用カラーを提供することができる。本発明のこの実施形態は、三色カートリッジの残りの２つのカラーの無駄が本質的に減少する、という点で有利である。これにより、無駄になる消耗品の量を減少することによって、プリントジョブのページ当たりのコストが削減される。
【００１５】
図７は、本発明の実施形態による他の方法７００を示すフローチャートである。本実施形態において、参照番号７１０で示すように、カートリッジ内でカスタムカラーが検出される。参照番号７１２で示すように、再生されるカラーが、そのカートリッジ内のカスタムカラーに一致する、という判定が行われる。このステップは、コントローラ５３０、１３０、２３０によって達成されてもよく、ホストコンピュータ５７０によって判定されてもよい。次に、参照番号７１４で示すように、このカスタムカラーがカートリッジから移動され、次にプリント媒体上に配置される。本発明に関連するこの実施形態すなわち方法は、いくつか利点を有する。このような利点の中には、カスタムカラーを必要とするプリントジョブを入念に制御することができることがある。プリントジョブには、そのプリントジョブ内でカラーを非常に厳格に制御する必要があるものがある。例えば、会社ロゴまたはレターヘッドに関連する会社ロゴは、このようなタイプのジョブのいくつかの例に過ぎない。槽内にカスタムカラーを備えることができ、さらに、そのカスタムカラーが必要な場合をコントローラまたはホストコンピュータが判定することができる場合には、そのカラーに関連する制御は非常に厳格である。正確なインク、およびその結果生じるカラーは、特定のプリントジョブによって記述されるような非常に厳格なパラメータ内にあり得る。
【００１６】
もちろん、利点の他の例として、カスタムカラーは、プリントジョブ内の他のカラーよりも多く用いられるものであってもよいことがある。これにより、無駄が減少または消耗品が減少し、ページ当たりのコストの点から見てプリントジョブがより経済的になる。
【００１７】
図８は、本発明の実施形態による、コンピュータ可読媒体８００および関連する命令セット８１０を示す概略図である。コンピュータ可読媒体８００は、フレキシブルディスクドライブ、ハードディスクドライブ、ネットワークインターフェース、インターネットへのインターフェース等を含む、いかなる数のコンピュータ可読媒体であってもよい。コンピュータ可読媒体はまた、ネットワーク用のハードワイヤードのリンクや、赤外線または無線周波数の搬送波であってもよい。命令セット８１０は、説明したプリント装置に関連する情報取扱システムが実行可能な、いかなる命令セットであってもよい。例えば、命令セットは、上で図６および図７に関して説明した方法６００および７００を含んでもよい。他の命令セットもまた、コンピュータ可読媒体８００上に配置されてもよい。
【００１８】
具体的な実施形態を本明細書において示し説明したが、当業者であれば、同じ目的を達成するよう適合されたいかなる構成も、示した具体的な実施形態に代用してもよいことを理解しよう。本開示は、本発明のさまざまな実施形態のいかなるおよびすべての改造または変形も包含するよう意図される。上記説明は、限定的方法ではなく例示的方法で行ったものであることが理解されなければならない。上記説明を検討すれば、当業者には、上記実施形態の組合せおよび本明細書において具体的に説明していない他の実施形態が明白となろう。本発明のさまざまな実施形態の範囲は、上記構造および方法が用いられるいかなる他の用途も含む。したがって、本発明のさまざまな実施形態の範囲は、特許請求の範囲が権利を与えられた全範囲の均等物とともに、添付の特許請求の範囲に関して、決定されるべきである。
【００１９】
前述の発明を実施するための最良の形態においては、合理的に開示するために、単一の実施形態にさまざまな特徴を集めている。この開示方法は、本発明の特許を請求する実施形態が、それぞれの特許請求の範囲において明示的に列挙されているものよりも多くの特徴を必要とするという意図を反映するものとして解釈してはならず、添付の特許請求の範囲が反映しているように、発明の主題は、開示した単一の実施形態の、すべてよりも少ない特徴の中にある。したがって、ここに、発明を実施するための最良の形態に添付の特許請求の範囲を組み込み、それぞれの特許請求の範囲は、別個の好ましい実施形態として権利を主張する。
【図面の簡単な説明】
【００２０】
【図１】本発明の一実施形態によるプリント装置の斜視図である。
【図２】本発明の他の実施形態によるプリント装置の斜視図である。
【図３】本発明の実施形態によるカートリッジを保持するようになっているスロットを３つ有する、プリントカートリッジを保持するキャリッジの斜視図である。
【図４】本発明の他の実施形態（軸外の槽）によるキャリッジの概略図である。
【図５】本発明の実施形態によるコントローラの概略図である。
【図６】本発明の実施形態による方法を示すフロー図である。
【図７】本発明の他の実施形態による方法を示すフロー図である。
【図８】本発明の実施形態によるコンピュータ可読媒体および関連する命令セットを示す概略図である。
【符号の説明】
【００２１】
１００：プリント装置
１１０：インクジェットプリンタ
１１２：シャシ
１１６：供給トレイ
１１８：出力トレイ
１２０、１２１、１２２：インクジェットカートリッジ
１２４：キャリッジ
１２６：案内ロッド
１２８：導体ストリップ
１３０：コントローラ
【図１】
2004237733.tif 000003
【図２】
2004237733.tif 000004
【図３】
2004237733.tif 000005
【図４】
2004237733.tif 000006
【図５】
2004237733.tif 000007
【図６】
2004237733.tif 000008
【図７】
2004237733.tif 000009
【図８】
2004237733.tif 000010